(57)【要約】    【課題】  本体内部の実装密度が高く、通風抵抗が大きい傾向にある誘導加熱調理器に対して、吸気口からの水の侵入に対しても安全性が高く、低騒音化が実現できる流路構造を提供する。    【解決手段】  本体の上面に被加熱容器を載置するトッププレートを配し、このトッププレートの下方に誘導加熱コイルを配し、誘導加熱コイルを駆動する電子基板を冷却する羽根車と、を本体内部に配した誘導加熱調理器において、吸込口が本体後背部を向いたファンと、本体後方に設けられた吸気口とファンとの空間を仕切り吸込口９を有する仕切り部と、ファンを駆動するファンモータを支持し、ファンと、加熱コイル及び基板側の空間を仕切り、吐出口を有するファンモータ支持部とを有するファンユニットが設けられ、ファンモータはファンユニットの基板側に配置した構成とする。    【選択図】  図３
2007073452.tif 000002
【特許請求の範囲】
【請求項１】
本体上面にトッププレートを備え、前記本体内には、前記トッププレートの下方に設けた複数個の加熱コイルと、前記複数個の加熱コイルの駆動を制御する基板と、その基板よりも前記本体後方に設けられ、前記加熱コイルと前記基板を冷却するファンと、そのファン後方の前記本体の後背部と前記本体底部との間に、前記底部に向けて前記ファン側に傾斜した傾斜部とを備え、前記本体の後部に前記ファンの吸気口が設けられた誘導加熱調理器において、前記本体後背部の方から空気を吸込む前記ファンと、前記吸気口と前記ファンとの間に設けられ前記ファンへの空気吸込口を有する仕切り部と、前記ファンを駆動させるファンモータを支持し、前記ファンと前記加熱コイル及び前記基板との間に設けられ前記ファンからの空気を吐出する吐出口を有するファンモータ支持部と、を有するファンユニットを備え、前記ファンモータは前記ファンユニットの前記基板側に配置された誘導加熱調理器。
【請求項２】
請求項１記載の誘導加熱調理器において、前記吐出口から前記基板側に吐出した冷却風の一部が、前記ファンモータに導かれる流路構造を備えた誘導加熱調理器。
【請求項３】
請求項１若しくは２記載の誘導加熱調理器において、前記空気吸込口と前記傾斜部のとの間にあって前記傾斜部から飛散する水滴を遮蔽する遮蔽部材と、前記遮蔽部材と前記傾斜部との間の空間の前記本体下方に設けられた開口部と、前記本体の後背部に面する吸気流路の途中に該吸気流路を狭める水切り部を設けた誘導加熱調理器。
【請求項４】
請求項1記載の誘導加熱調理器において、前記ファンは、ターボファンである誘導加熱調理器。
【請求項５】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンと、を備え、前記本体の後部に前記ファンの吸気口が設けられた誘導加熱調理器において、
前記ファンはターボファンであって、そのターボファンと、そのターボファンの吸込み部に対応した吸込口を有し、前記ターボファンと前記吸気口と連通する空間との間に設けられた吸込み面と、その吸込み面と接続して前記ターボファンの周方向を覆う側面と、その側面と接続して前記加熱コイル及び前記基板と前記ターボファンとの間に設けられた吐出面とを備えたファンユニットを備え、前記吐出面には前記加熱コイルと前記基板の少なくともどちらかに連通する空間に開口する吐出口が設けられた誘導加熱調理器。
【発明の詳細な説明】
【技術分野】
【０００１】
本発明は誘導加熱調理器に関するものである。
【背景技術】
【０００２】
誘導加熱調理器は、誘導加熱コイルに高周波電流を流して発生する磁力線が、金属製の鍋を通過するときに鍋底に生じる渦電流によるジュール加熱を利用して、加熱調理を行う装置である。加熱時には鍋だけでなく、誘導加熱コイルや誘導加熱コイルを制御する電子基板などからも発熱が生じるため、ファンを用いて送風冷却が行われている。
【０００３】
従来の誘導加熱調理器の流路構造は、軸流ファンや多翼ファンを用いてトッププレートの吸気口から吸気した空気を電子基板に通風し、さらに誘導加熱コイルに通風するものである。また、誘導加熱調理器は、操作中に鍋の煮こぼれや、鍋の倒れなどによって、トッププレートの吸気口及び排気口に水が侵入してしまい、冷却流路を通じて電子基板などに付着してしまい電子部品の損傷原因となることから、冷却流路は防水構造を設ける必要がある。このため、ファンの種類に係わらず流路構造には加熱コイルや電子基板の防水構造が設置されている。こうした流路構造の例として文献１、２に開示された例がある。
【０００４】
【特許文献１】特開２００１−３２４１５１号公報
【特許文献２】特開２００４−１７２１３８号公報
【発明の開示】
【発明が解決しようとする課題】
【０００５】
近年、誘導加熱調理器は調理時間の短縮などの要請から、加熱コイルはより高出力化される傾向にあり、ロースターは大型の調理品に対応できるように内容積が大型化される傾向にある。
【０００６】
使用する鍋の種類は、高効率で加熱できる鉄鍋だけでなく、加熱効率の下がる非磁性ステンレス鍋でも使用されるようになっている。また、多種の鍋に対応できるように鉄、非磁性ステンレス製の鍋に加えてアルミ製、銅製鍋でも使用できるオールメタル鍋対応機種が製品化されているが、アルミ鍋の加熱効率は非磁性ステンレス鍋よりもさらに低い。
【０００７】
加熱コイルを制御する電子基板は、加熱コイルの下部にありロースターの余剰空間に配置されているが、加熱コイルの高出力化、対応鍋の多様化に伴い加熱コイルの制御部品は増加し電子基板の実装密度が高く、通風抵抗が大きくなるとともに熱損失も増大する傾向にある。また、ロースターの内容積の大型化により、電子基板の配置空間は縮小してしまい、電子基板は更に実装密度が高くなる傾向にある。
【０００８】
前述したように、特許文献１に開示された誘導加熱調理機の例は、軸流ファンにより吸気口から吸入した冷却風を電子基板と誘導加熱コイルに通風するものである。誘導加熱調理器は本体内部の機器の実装密度が高いため、通風抵抗が大きく、図７に示すように動作点が締切り点に近くなり、軸流ファンを用いた場合には騒音が大きくなるという課題があった。また、軸流ファンは、ファンの吸込口と吐出口が同軸で相対位置にあることから、ファンの吸込口に侵入した水滴などは、直接、下流側の電子基板に飛散してしまうといった課題があった。
【０００９】
また、特許文献１に開示された誘導加熱調理器の防水構造では、本体底部に着水した水滴の跳ね上がりによって、ファン吸込口に吸引されるといった課題があった。
【００１０】
また、特許文献２に開示された誘導加熱調理器における流路構造の例は、縦置き式の多翼ファンにより吸気口から吸入した冷却風を電子基板と誘導加熱コイルに通風するものである。多翼ファンは一般に、ファンの大きさに対して風量と圧力が大きくとれることから室内の換気用等に広く用いられる。
【００１１】
しかしながら図８に示すように、羽根車の回転方向と羽根の出口方向とが一致する前向き羽根であることから、羽根車出口の絶対速度C2が非常に大きくなる特性がある。絶対速度C2は、ファン出口の圧力損失ΔP=ρ/2×C22となるため、通風抵抗が増大し、さらにはファンケーシング内部の流れに悪影響が及ぼしたり、局所的な騒音源となるといった課題があった。
【００１２】
特許文献２に開示された誘導加熱調理器のように、多翼ファンの防水構造はファン吸込口及び吸込側流路に抵抗体を設けて吸込口流路を狭められることから通風抵抗が増大する。また、ファンモータがファン吸込口の近傍に設置されており、吸気流路内にファンモータ専用の防水構造が必要となることから、ファンモータの設置位置が通風抵抗の増大に起因するといった課題があった。
【００１３】
また、多翼ファンは旋回方向に吹出口を配置した流路構造となるため、多翼ファンで吸引された水滴は、ファン吹出口の下流に配置された電子基板に直接付着してしまうといった課題があった。
【００１４】
本発明は、前記不具合を解決するものであり、高風量で低騒音の冷却機構を備えた誘導加熱調理器を実現することにある。
【課題を解決するための手段】
【００１５】
上記課題を解決するため、本発明の誘導加熱調理器は、本体上面にトッププレートを備え、前記本体内には、前記トッププレートの下方に設けた複数個の加熱コイルと、前記複数個の加熱コイルの駆動を制御する基板と、その基板よりも前記本体後方に設けられ、前記加熱コイルと前記基板を冷却するファンと、そのファン後方の前記本体の後背部と前記本体底部との間に、前記底部に向けて前記ファン側に傾斜した傾斜部とを備え、前記本体の後部に前記ファンの吸気口が設けられた誘導加熱調理器において、前記本体後背部の方から空気を吸込む前記ファンと、前記吸気口と前記ファンとの間に設けられ前記ファンへの空気吸込口を有する仕切り部と、前記ファンを駆動させるファンモータを支持し、前記ファンと前記加熱コイル及び前記基板との間に設けられ、前記ファンからの空気を吐出する吐出口を有するファンモータ支持体と、を有するファンユニットが設けられ、前記ファンモータは前記ファンユニットの前記基板側に配置されたものである。
【００１６】
また、上記の構成において、前記吐出口から前記基板側に吐出した冷却風の一部が、前記ファンモータに導かれる流路構造を備えてもよい。
【００１７】
さらに、上記の構成に加えて、前記空気吸込口と前記傾斜部のとの間にあって前記傾斜部から飛散する水滴を遮蔽する遮蔽部材と、前記遮蔽部材と前記傾斜部との間の空間の前記本体下方に設けられた開口部と、前記本体の後背部に面する吸気流路の途中に該吸気流路を狭める水切り部を設けてもよい。
【００１８】
上記課題を解決するため、本発明の他の誘導加熱調理器は、本体上面にトッププレートを備え、前記本体内には、前記トッププレートの下方に設けた複数個の加熱コイルと、前記複数個の加熱コイルの駆動を制御する基板と、その基板よりも前記本体後方に設けられ、前記加熱コイルと前記基板を冷却するファンと、を備え、前記本体の後部に前記ファンの吸気口が設けられた誘導加熱調理器において、前記ファンはターボファンであって、そのターボファンと、そのターボファンの吸込み部に対応した吸込口を有し、前記ターボファンと前記吸気口と連通する空間との間に設けられた吸込み面と、その吸込み面と接続して前記ターボファンの周方向を覆う側面と、その側面と接続して前記加熱コイル及び前記基板と前記ターボファンとの間に設けられた吐出面とを備えたファンユニットを備え、前記吐出面には前記加熱コイルと前記基板の少なくともどちらかに連通する空間に開口する吐出口が設けたものである。
【発明の効果】
【００１９】
本発明によれば、ファンユニットはファンモータを基板側流路内に配置することによって、ファン吸込口上流に自由空間を確保できることから、流路の圧力損失の低減が図れ流路構造の高風量・低騒音化を実現できる。
【００２０】
また、本体吸気流路内に浸入した水滴との接触が無い防水構造であることから、ファンモータの安全性を確保できる。
【００２１】
また、ファンモータの防水カバーなどを設置する必要が無いことから、冷却ファンの部品点数を削減でき、製造コストの削減が図れる。
【００２２】
また、ターボファンは、ファン吸込口に水を吸込んでも遠心方向に水滴が飛散するため、ファンを覆ったケース内壁に水滴が付着する構造となる。ファンケース内に付着した水は旋回流により蒸発させることができる。この作用により、ターボファンを用いることで水滴が直接基板などに飛散することが無く、誘導加熱調理器の信頼性を確保できる。
【発明を実施するための最良の形態】
【００２３】
本発明の実施の形態を図を用いて説明する。
【実施例１】
【００２４】
以下、本発明の一実施例として、図１から図３を用いて実施例１を説明する。
【００２５】
本実施例は、二つの誘導加熱部と、1つのヒータ加熱部と、1つのロースターとを備えた誘導加熱調理器を例にとって説明する。
【００２６】
先ず、本発明の一実施例における誘導加熱調理器の全体構造について説明する。図１は本実施例の誘導加熱調理器の外観傾斜図であり、本実施例に係る誘導加熱調理器、及び従来の誘導加熱調理器に共通した代表構造を示した図である。
【００２７】
図２は本実施例の誘導加熱調理器において、トッププレート等を本体から取り外し、電子基板とファンの実装を示した分解傾斜図である。
【００２８】
図３は本実施例の誘導加熱調理器において、右の誘導加熱部のほぼ中央で切断した側面断面図である。また図中の矢印は冷却風を表している。
【００２９】
トッププレート１は、本体２の上面に設けられ、ガラス製で鍋などの負荷を載置する。
【００３０】
トッププレート１の下部には、右の誘導加熱部に対応した誘導加熱コイル３、左の誘導加熱部に対応した誘導加熱コイル４があり、高周波電流が流れることにより磁力線を発生し、負荷である鍋を過熱する。
【００３１】
本体２内部の後背部には、ターボファンを用いたファンユニット５が設けられ、電子基板６、７、８や、誘導加熱コイル３に冷却風を供給して冷却する。
【００３２】
ファンユニット５は、ターボファンである羽根車１０、吸込口９を有し本体の後方に設けられた吸気口１５と羽根車１０との間を仕切り、羽根車１０の半径方向の空間も仕切るファンケーシング１３、ファンモータ１４を指示する支持体であって、吐出口１１、１２を備えるファンモータ架台４０とから構成される。
【００３３】
本実施例では、代表例として電子基板を３枚とし、ファン吐出口を二口として誘導加熱コイルと電子基板側の流路を分離した構造の一例を示しているが、誘導加熱コイルと電子基板の同流路内に配置しても良い。
【００３４】
本体２の吸気口１５から吸気された冷却風は、ファンユニット５の吸込口９に導かれ、ファンモータ１４により駆動される後ろ向きの羽根を持つ羽根車１０によって運動量を与えられ、羽根車１０内で９０度流れの方向を偏向した後、ファンケーシング１３内でさらに９０度流れの方向を偏向し、ファンモータ架台４０に設けられた吐出口１２から電子基板６、７、８に供給され、吐出口１１から誘導加熱コイル３に供給される。
【００３５】
羽根車１０と電子基板６、７、８側は、ファンモータ架台４０により仕切られている。また羽根車１０と吸気口１５側とはファンケーシング１３により仕切られている。
【００３６】
吸込口９と吐出口１１、１２の方向は羽根車１０の軸方向と一致する方向に配置される。ファンユニット５の吸込口９と吸気口１５との吸込流路を規定するファンケーシング１３に、吸込口９へ整流空気を導くためのマウスリング３１を設けた。
【００３７】
ファンモータ架台４０に固定されたファンモータ１４は、電子基板６、７、８側の空間に配置された構造となっている。
【００３８】
基板ケース６０は、誘導加熱コイル３を支持し、羽根車１０と電子基板６、７、８を収納したものである。
【００３９】
吸気口１５は、本体２後部側に設けられ、本体２内部の冷却風の入口である。複数の基板で構成した電子基板６、７、８は、誘導加熱コイル３の下方に配置され、右の誘導加熱コイル３と左の誘導加熱コイル４等を制御する。本体２内部を冷却した冷却風は排気口１６を抜けて外部に排出される。
【００４０】
本体２前面には操作部１７を設けており、機器全体の電源スイッチや、誘導加熱コイル３、４やラジエントヒータ２１の出力調整ツマミなどを配置している。本体２の上面手前には、液晶パネル１８を配置しており、誘導加熱部の出力を液晶で表示し、使用者に加熱出力の強さを伝達する。
【００４１】
ロースター１９は、本体２左下側に設けられ、ヒータ加熱式で、焼魚の調理などに用いられる。ロースター排気口２０は排気口１６に併設され、ロースター１９から発生する油煙などを排出する出口である。
【００４２】
ラジエントヒータ２１は、本体２内部の後方に設けられたヒータ加熱部であり、誘導加熱方式では加熱できない鍋、容器などでの調理時に用いられる。
【００４３】
通気口２２は、誘導加熱コイル３を支持する基板ケース６０のトッププレート１側壁面に設けられた開口であり、誘導加熱コイル３の下方近傍に設けられる。また、通気口２３は、ファンユニット５の吐出口１１から吹出された冷却風を直接、誘導加熱コイル３に吹き付けるために設けた開口部である。
【００４４】
また、左側の誘導加熱コイル４の下方近傍に用いる通気口は、必要に応じて設けられるもので、ロースター１９の配置に合わせて誘導加熱コイル４の下方や周囲の近傍に設けられる。本実施例では、右側の誘導加熱コイル３のみ通気口を設けた構造として説明する。
【００４５】
以上の構成において、全体の動作を説明する。
【００４６】
鍋を右の誘導加熱部上、すなわち右の誘導加熱コイル３上方のトッププレート１上に載置し、操作部１７の電源スイッチをオンし、右の誘導加熱部に対応した出力調整ツマミを好みの出力に調節する。
【００４７】
すると電子基板６、７、８は右の誘導加熱コイル３に高周波電流を流し、誘導加熱コイル３から磁力線を発生させ、鍋を過熱する。同時に、電子基板６、７、８は羽根車１０を駆動する。
【００４８】
駆動された羽根車１０は、吸気口１５から外気を吸気し、冷却風を電子基板６、７、８に吹き付け、これを冷却する。電子基板６、７、８を冷却した冷却風は、上方に向かう。
【００４９】
通気口２２及び通気口２３を通った冷却風は、誘導加熱コイル３等が配置された空間に吹出され、主に右の誘導加熱コイル３に吹き付けられて、これを冷却し、その後、本体２の後部に設けられた排気口１６から外気に排気される。
【００５０】
なお、電子基板７への冷却風の供給は、電子基板６からの冷却風が電子基板７の隙間を上昇して得られる。
【００５１】
次に、本発明に係るファンユニット５の防水構造について説明する。
【００５２】
吸気口１５からファンユニット５の吸込口９の流路において、トッププレート１側の上方流路壁面２４には、吸気流路を狭めるように下方が本体２後背部側に傾斜した水切り板２５を設けており、本体２の底部側に面する下方流路壁面２６には、本体２後背部の傾斜部２７で飛散する水滴を遮蔽する遮蔽部材２８が設けられており、遮蔽部材２８の上流側および後流側の下方流路壁面２６には排水口２９と排水口３３を設けた流路構造となっている。本実施例に示す遮蔽部材２８の設置位置は、下方流路壁面２６上とした場合を説明するが、本体２後背部の下部に設けた傾斜部２７上に遮蔽部材２８を配置しても良い。
【００５３】
ここで、本体２の内部に侵入する水について説明する。
【００５４】
トッププレート１上に載置した鍋の転倒や煮こぼれなどが原因で、吸気口１５に水が侵入してしまう。吸気口１５から浸入した水の主な軌跡として、次の３通りが挙げられる。１つは、大量の水が侵入した場合であり、吸気口１５を通り抜けた大半の水が傾斜部２８や下方流路壁面２６に直接着水する。２つ目は、少量の水が上方流路壁面２４を伝って、ファンユニット５の吸込口９付近に水滴が落下するである。３つ目として、吸気口１５の下方流路で飛散した微量の水滴が直接ファンユニット５の吸込口９に吸引されるものである。
【００５５】
以上の構成により、吸気口１５から侵入した水に対する防水構造について説明する。
【００５６】
吸気口１５から侵入した水の一部は水切り板２５の斜面に沿って本体２の後背部壁面３０方向に水流を導き、ファンユニット５側に飛散する水滴を抑制する。傾斜部２７に着水した水の一部はファンユニット５側に跳ね上がるが、遮蔽部材２８に衝突して遮蔽される。また、着水した一部は排水口２９から本体２の外部へ排水されるため、水の跳ね返り量を削減できる。従って、大量の水が侵入した場合などは、水切り板２５、遮蔽部材２８、排水口２９によって、ファンユニット５の吸込口９に浸入する水を遮蔽できる。
【００５７】
また、上方流路壁面２４を伝って流れる水滴は、水切り板２５により水流をせき止められ、傾斜部２７に着水する。従って、少量の水が侵入した場合などは、水切り板２５によりファンユニット５の防水効果が得られる。
【００５８】
また、吸気流路の途中で飛散した微量の水滴がファンユニット５の吸込口９に浸入した場合、羽根車１０の回転により遠心方向に吐き出され、ファンケーシング１３の羽根車１０の側方に対向する内壁面に付着することとなり、直接、電子基板６、７、８や誘導加熱コイル３に水滴が付着することが無い。
【００５９】
ファンケーシング１３の内壁面に付着した水滴は羽根車１０の旋回流れにより蒸発させることができる。
【００６０】
以上の流路構造により、ファンユニット５の吸込口９を通じて電子基板側へ飛散する水滴の浸入を防止できことから、水滴の付着による電子部品の損傷を防げ、電子基板や誘導加熱コイルの信頼性を確保できる効果が得られる。
【００６１】
また、ファンモータ４０を電子基板６、７、８の空間に配置することにより本体吸気流路内に浸入した水滴との接触が無い防水構造となることから、ファンモータの安全性を確保できる。
【００６２】
また、ファンユニット５の吸込口９近傍にファンモータを配置しておらず、かつ、水切り板２５と遮蔽部材２８を組み合わせた流路構造は、ファンユニット５の吸込口９上流に自由空間を確保できることから、流路の圧力損失の低減が図れるようになり高風量で低騒音の流路構造を実現できる。
【００６３】
また、ファンユニット５にターボファンを用いたことにより、遠心式で高い圧力が得られ、吐出口１１、１２の出口速度を低減した速度分布の一様な流れが電子基板６、７、８に供給されるため、多翼ファンのように吐出口直下の障害物の影響が及び難く、誘導加熱調理器の流路構造を低騒音で実現できる。
【００６４】
また、ファンモータの防水カバーなどを設置する必要が無いことから、冷却ファンの部品点数を削減でき、製造コストの削減が図れる。
【実施例２】
【００６５】
本発明の一実施例として、図４、５、６を用いて実施例２の誘導加熱調理器について説明する。
【００６６】
図４はトッププレート等を本体から取り外し、電子基板の冷却風路を示した分解傾斜図である。図５は基板ケース内を透過して最下層の電子基板６の実装状態を表した断面図である。図６は基板ケース内を透過して中段の電子基板７の実装状態を表した断面図である。
【００６７】
ファンユニット５の吐出口１２の下流に電子基板６、７を設置している。本体２の下部の最下層に設置した電子基板６は、発熱量が大きい部品を設置したヒートシンク４１を吐出口１２の近傍に配置した構成をしており、ダクト５０を介して吐出口１２とヒートシンク４１が連通している。
【００６８】
電子基板６の上段に配置した電子基板７も同様に、吐出口１２の近傍に発熱が大きい部品を設置したヒートシンク４２を配置した構成をしており、ダクト５０を介して吐出口１２とヒートシンク４２が連通している。また、電子基板７のヒートシンク４２他端には、電子基板７の上段に設けられた３段目の電子基板８側に延びた遮蔽板４３を設置している。
【００６９】
以上の構成により、ファンユニット５下流の基板ケース６０内における冷却風の流れを説明する。
【００７０】
ファンユニット５の駆動により吐出口１２から吹出し、本体２の下部に設置した電子基板６を通過する冷却風は、ヒートシンク４１を通過した後、本体２前側の基板ケース６０壁面に衝突してヒートシンク４１他端のファンユニット５側にＵターンし、ファンモータ架台４０と遮蔽板４３のファンモータ空間５１を吹き上がり、３段目の電子基板８を冷却する。ファンモータ空間５１を通過する冷却風の一部はファンモータ１４を冷却する。
【００７１】
ファンユニット５の駆動により吐出口１２から吹出し２段目の電子基板７を通過する冷却風は、ヒートシンク４２を通過した後、本体２前側の基板ケース６０壁面に衝突してファンユニット５側の遮蔽板４３方向にＵターンし、遮蔽板４３と３段目の電子基板８との３段目電子基板空間５２に吹き上がり、３段目の電子基板８を冷却する。
【００７２】
電子基板６と電子基板７を冷却して、電子基板８に供給された冷却風は、電子基板８を冷却した後、基板ケース６０の通気口２２から誘導加熱コイル３を吹き付け冷却し、本体２の排気口１６より外部へ排気される。
【００７３】
以上の流路構造により、電子基板側に設置したファンモータに冷却風を吹き付けてモータの温度上昇を抑制できることから、ファンモータの安全性を確保できる効果を得られる。
【実施例３】
【００７４】
本発明の一実施例として、図１、２、３及び９を用いて実施例２の誘導加熱調理器について説明する。
【００７５】
図1に示す誘導加熱調理器は、本体上面にトッププレートを備えていて、その本体は、システムキッチンのような天面と前面に開口部を備えたキッチン家具に組み込まれる。一般的にこのようなビルトインタイプの誘導加熱調理器は、決められたサイズの天面開口部から挿入されるために本体の容積も自ずと規定される。
【００７６】
従って、装置の機能向上に対応していくと、本体内に実装する部品の集積度は益々高まっている。図２に示したように、複数個の加熱コイルの駆動を制御する電子基板６、７上の電子部品の集積度が高まると、部品間に冷却風を流すために、冷却風には十分な圧力が必要となる。
【００７７】
そこで、加熱コイル３、４と電子基板６、７、８の少なくともどれかに連通する空間に対して、ファンユニット５は、より高い圧力の冷却風を供給しなければならず、本実施例では羽根車１０としてターボファンを用い、そのターボファンの吸込み部に対応した位置に吸込口９を備えたファンケーシング１３と、ターボファンの吸込み部側及び吐出側である側面に広がったファンケーシング１３の端部と接続する板状のファンモータ架台４０とにより、ターボファンの吐出空間を形成した。
【００７８】
ターボファンは、シロッコファンに比べて周方向に吐出される空気流の流速が早くないため、空気流の流れが変わっても圧力をかせげる。つまり、シロッコファンからの空気流の流速は早いために、流れの方向が変わるような場合、十分な風圧を得られなくなり、高密度に実装された電子基板上に供給する冷却風としては不向きである。
【００７９】
一方、ターボファンから吐出される空気流は流速が遅いために、方向が変わっても圧力低下をおこさず十分な風速を確保したまま供給できるために、高密度に実装された電子基板上に供給する冷却風としては最適である。
【００８０】
本実施例では、図９に示すように、ファンユニット５の内側に形成された吐出空間内で方向を変えられた気流は、圧力低下がほとんどなくその向きを変えて、ファンモータ架台４０に設けられた吐出口１１、１２より、十分な風速で加熱コイル３、４と電子基板６、７、８に供給される。
【００８１】
また、羽根車１０より供給される空気流は、全周方向に対して供給されるため、ファンユニット５の吸込み面及び側面となるファンケーシング１３内壁でその向きを変えたるため、吐出口１１、１２を、ファンユニット５の吐出面となるファンモータ架台４０のいずれの場所に設けてもよい。
【００８２】
従って、吐出口１１、１２は加熱コイルや基板に連通する空間に対して開口されるだけでなく、より細かく、例えば、電子基板上の放熱量がより大きな素子に対向する位置に吐出口１１、１２を設けることができるので、本実施例のファンユニット５を適用することで設計自由度が非常に高まる。
【００８３】
また、吐出口１１、１２の開口面積も自由に設定することができるので、高風量を必要とする場合には、大きな開口とすることで、必要な冷却性能を確保することができる。
【００８４】
さらに、本実施例のように、ファンモータ１４を基板側に配置することで、ファンユニット５の設置面積も低減することができるので、内部部品の高集積化が進む場合により効果をもたらすものである。
【００８５】
なお、本実施例で説明するターボファン（羽根車１０）は、ファン外径Ｄとファン内径Ｄ１とが、内径/外径＝0.4〜0.6の関係のものである。また、羽根車１０に設けられた複数の羽根の出口角度が１１０°以下のもので、羽根３６の枚数が１５枚以下のものである。
【図面の簡単な説明】
【００８６】
【図１】本発明の一実施例の誘導加熱調理器を示した外観傾斜図。
【図２】図１の誘導加熱調理器における構成要素を本体から取り外し、電子基板とファンの実装状態を示した分解傾斜図。
【図３】図２の誘導加熱調理器において、右側の誘導加熱部のほぼ中央で切断した側面断面。
【図４】図１の誘導加熱調理器における構成要素を本体から取り外し、電子基板の冷却風路を示した分解傾斜図。
【図５】図１の誘導加熱調理器において、基板ケース内を透過して最下層の電子基板６の実装状態を表した断面図。
【図６】図１の誘導加熱調理器において、基板ケース内を透過して中段の電子基板７の実装状態を表した断面図。
【図７】軸流ファンの一般的な特性を示した図
【図８】多翼ファンとターボファンを比較した模式図
【図９】本発明の一実施例におけるファンユニットを説明する説明図。
【符号の説明】
【００８７】
１・・・トッププレート
２・・・本体
３、４・・・誘導加熱コイル
５・・・ファン
６、７、８、・・・電子基板
９・・・吸込口
１０・・・羽根車
１１、１２・・・吐出口
１３・・・ファンケーシング
１４・・・ファンモータ
１５・・・吸気口
１６・・・排気口
１７・・・操作部
１８・・・液晶パネル
１９・・・ロースター
２０・・・ロースター排気口
２１・・・ラジエントヒータ
２２、２３・・・通気口
２４・・・上方流路壁面
２５・・・水切り板
２６・・・下方流路壁面
２７・・・傾斜部
２８・・・遮蔽部材
２９、３３・・・排水口
３０・・・後背部流路壁面
３１・・・マウスリング
４０・・・ファンモータ架台
４１、４２・・・ヒートシンク
４３・・・遮蔽板
５０・・・ダクト
５１・・・ファンモータ空間
５２・・・３段目電子基板空間
６０・・・基板ケース
【図１】
2007073452.tif 000003
【図２】
2007073452.tif 000004
【図３】
2007073452.tif 000005
【図４】
2007073452.tif 000006
【図５】
2007073452.tif 000007
【図６】
2007073452.tif 000008
【図７】
2007073452.tif 000009
【図８】
2007073452.tif 000010
【図９】
2007073452.tif 000011